(57)【要約】  【課題】交通安全規則に違反することなく運転者が携帯電話と通話可能にするカーオーディオハンズフリーシステムおよび双方向音声通信方法を提供する。  【解決手段】カーオーディオハンズフリーシステム１は、カーオーディオシステム１０、ＭＰ３放送機２０および接続インタフェース３０を含んでいる。カーオーディオシステム１０は、カーオーディオ機器１１、インタフェース回路１４、マイク１２およびスピーカ１３を含み、ハンズフリー受話器モードを備えている。ＭＰ３放送機２０は、ＭＰ３モジュール２１、無線ヘッドセットモジュール２２およびインタフェース回路２３を含んでいる。ＭＰ３モジュール２１は、無線ヘッドセットモジュール２２により携帯電話３との双方向通信が可能である。【選択図】図１
2006067545.tif 000002
【特許請求の範囲】
【請求項１】
ハンズフリー受話器モードを有するカーオーディオ機器、マイクロフォンおよびスピーカを含むカーオーディオハンズフリーシステムにおいて、
無線ヘッドセットモジュールおよび該無線ヘッドセットモジュールにより携帯電話の双方向通信が可能なＭＰ３モジュールを含むＭＰ３放送機と、
前記ＭＰ３モジュールおよび前記カーオーディオ機器間の電気的接続を行なう接続インタフェースとを備え、
前記ＭＰ３モジュールは、携帯電話の着信指示に応答して前記カーオーディオ機器をイネーブルしてハンズフリー受話器モードに入り、前記ＭＰ３放送機により携帯電話との双方向音声通信を可能にすることを特徴とするカーオーディオハンズフリーシステム。
【請求項２】
前記カーオーディオ機器は、前記ハンズフリー受話器モードに操作され、前記ＭＰ３モジュールから伝送されてきた音声信号を受け取り、前記スピーカで放音し且つ前記マイクロフォンにより音声信号又は運転者の音声を受け取り前記ＭＰ３モジュールに伝送することを特徴とする請求項１に記載のカーオーディオハンズフリーシステム。
【請求項３】
インタフェース回路を更に含み、該インタフェース回路は、前記接続インタフェースを介して前記ＭＰ３放送機からの信号を受け取り、前記カーオーディオ機器に伝送すると同時に前記インタフェース回路も前記カーオーディオ機器からの信号を前記接続インタフェースを介して前記ＭＰ３放送機に伝送することを特徴とする請求項１に記載のカーオーディオハンズフリーシステム。
【請求項４】
前記ＭＰ３放送機は、インタフェース回路を更に含み、該インタフェース回路は、前記接続インタフェースを介して前記カーオーディオシステムからの信号を受け取り、前記ＭＰ３モジュールに伝送すると同時に前記インタフェース回路も前記ＭＰ３モジュールからの信号を前記接続インタフェースを介して前記カーオーディオシステムに伝送することを特徴とする請求項１に記載のカーオーディオハンズフリーシステム。
【請求項５】
前記接続インタフェースは、前記カーオーディオシステムのパネルに設けられた電気接点又は電気コネクタと、前記ＭＰ３放送機に設けられた電気接点又は電気コネクタとを含むことを特徴とする請求項１に記載のカーオーディオハンズフリーシステム。
【請求項６】
前記ＭＰ３モジュールは、前記無線ヘッドセットモジュールを制御して携帯電話からの着信を切断可能にすることを特徴とする請求項１に記載のカーオーディオハンズフリーシステム。
【請求項７】
前記ＭＰ３モジュールは、携帯電話からの着信指示に応答して前記カーオーディオ機器にイネーブル信号を伝送することにより、前記カーオーディオ機器はハンズフリー受話器モードに入ることを特徴とする請求項１に記載のカーオーディオハンズフリーシステム。
【請求項８】
ハンズフリー受話器モードを有するカーオーディオシステム、マイクロフォンおよびスピーカを含むカーオーディオハンズフリーシステムにおいて、
ＭＰ３モジュールおよび無線ヘッドセット装置を含むＭＰ３放送機と、
前記無線ヘッドセット装置および携帯電話を接続する接続インタフェースとを備え、
該接続インタフェースは、前記ＭＰ３放送機および前記無線ヘッドセット間を電気的接続する第１接続インタフェースと、前記ＭＰ３モジュールおよび前記カーオーディオシステム間を電気的接続する第２接続インタフェースとを有し、前記ＭＰ３モジュールは、前記無線ヘッドセットから伝送されてきた携帯電話の着信指示に応答して前記ＭＰ３モジュールが前記カーオーディオシステムにイネーブル信号を出力して前記カーオーディオシステムがハンズフリー受話器モードに入ることを特徴とするカーオーディオハンズフリーシステム。
【請求項９】
前記カーオーディオシステムは、前記ハンズフリー受話器モードに操作され、前記ＭＰ３モジュールから伝送されてきた音声信号を受け取り前記スピーカで放音し且つ前記マイクロフォンにより音声信号又は運転者の音声を受け取り前記ＭＰ３モジュールに伝送することを特徴とする請求項８に記載のカーオーディオハンズフリーシステム。
【請求項１０】
前記カーオーディオシステムはインタフェース回路を更に含み、該インタフェース回路は、前記第２接続インタフェースを介して前記ＭＰ３放送機からの信号を受け取り、前記カーオーディオシステムに伝送すると同時に、前記カーオーディオシステムからの信号を第２接続インタフェースを介して前記ＭＰ３放送機に伝送することを特徴とする請求項８に記載のカーオーディオハンズフリーシステム。
【請求項１１】
前記ＭＰ３放送機は、インタフェース回路を更に含み、該インタフェース回路は、前記第２接続インタフェースを介して前記カーオーディオシステムからの信号を受け取り、前記ＭＰ３モジュールに伝送すると同時に、前記ＭＰ３モジュールからの信号を前記第２接続インタフェースを介して前記カーオーディオシステムに伝送することを特徴とする請求項８に記載のカーオーディオハンズフリーシステム。
【請求項１２】
前記第１接続インタフェースは、前記無線ヘッドセット装置に設けられた電気接点又は電気コネクタおよび前記ＭＰ３放送機に設けられた電気接点又は電気コネクタを含むことを特徴とする請求項８に記載のカーオーディオハンズフリーシステム。
【請求項１３】
ハンズフリー受話器を有するカーオーディオシステムおよび携帯電話間の双方向音声通信方法において、
無線ヘッドセットモジュールを備えるＭＰ３モジュールを提供し、前記ＭＰ３モジュールにより前記無線ヘッドセットモジュールを制御して携帯電話との双方向通信を行なうステップと、
接続インタフェースを提供し、前記ＭＰ３放送機および前記カーオーディオシステム間を電気的接続するステップと、
前記ＭＰ３放送機により携帯電話の着信指示に応答して前記カーオーディオシステムがハンズフリーモードに入ることを知らせるステップとが含まれることを特徴とする双方向音声通信方法。
【請求項１４】
前記ＭＰ３放送機は、携帯電話の着信指示に応答してイネーブル信号を生成するステップを含むことを特徴とする請求項１４に記載の双方向音声通信方法。
【請求項１５】
前記ＭＰ３放送機は、前記接続インタフェースを介して前記イネーブル信号を前記カーオーディオシステムに伝送することにより該カーオーディオシステムがハンズフリー受話器モードに入るステップを更に含むことを特徴とする請求項１４に記載の双方向音声通信方法。
【請求項１６】
前記カーオーディオシステムがハンズフリー受話器モードに入った後、前記ＭＰ３放送機は、携帯電話からの音声信号を前記接続インタフェースを介して前記カーオーディオシステムに伝送するステップを更に含むことを特徴とする請求項１４に記載の双方向音声通信方法。
【請求項１７】
前記カーオーディオシステムがハンズフリーモードに入った後、前記カーオーディオシステムは、運転者の音声信号が前記接続インタフェースを介して前記ＭＰ３放送機に伝送され、前記ＭＰ３放送機から運転者の音声信号を携帯電話に伝送するステップを更に含むことを特徴とする請求項１４に記載の双方向音声通信方法。
【請求項１８】
前記カーオーディオシステムがハンズフリー受話器モードに入った後、前記ＭＰ３放送機により録音動作を行なうステップを更に含むことを特徴とする請求項１４に記載の双方向音声通信方法。
【請求項１９】
ハンズフリー受話器機能を有するカーオーディオシステムおよび携帯電話間の双方向音声通信方法において、
第１接続インタフェースを提供し、ＭＰ３放送機および無線ヘッドセット装置に電気的接続され、前記ＭＰ３放送機が前記無線ヘッドセット装置を制御して携帯電話との双方向通信するステップと、
第２接続インタフェースを提供し、前記ＭＰ３放送機および前記カーオーディオシステム間が電気的接続されるステップと、
前記ＭＰ３放送機は、携帯電話の着信指示に応答して前記カーオーディオシステムがハンズフリーモードに入ることを知らせるステップとを含むことを特徴とする双方向音声通信方法。
【請求項２０】
前記ＭＰ３放送機は、携帯電話の着信指示に応答してイネーブル信号を生成するステップを更に含むことを特徴とする請求項２０に記載の双方向音声通信方法。
【請求項２１】
前記ＭＰ３放送機は、前記接続インタフェースを介して前記イネーブル信号を前記カーオーディオシステムに伝送することにより、該カーオーディオシステムがハンズフリー受話器モードに入るステップを更に含むことを特徴とする請求項２０に記載の双方向音声通信方法。
【請求項２２】
前記カーオーディオシステムがハンズフリー受話器モードに入った後、前記ＭＰ３放送機は、携帯電話からの音声信号を前記接続インタフェースを介して前記カーオーディオシステムに伝送するステップを更に含むことを特徴とする請求項２０に記載の双方向音声通信方法。
【請求項２３】
前記カーオーディオシステムがハンズフリー受話器モードに入った後、前記カーオーディオシステムは、運転者の音声信号が前記接続インタフェースを介して前記ＭＰ３放送機に伝送され、該ＭＰ３放送機から運転者の音声信号を携帯電話に伝送するステップを更に含むことを特徴とする請求項２０に記載の双方向音声通信方法。
【請求項２４】
前記カーオーディオシステムがハンズフリー受話器モードに入った後、前記ＭＰ３放送機により録音動作を行うステップを更に含むことを特徴とする請求項２０に記載の双方向音声通信方法。
【発明の詳細な説明】
【技術分野】
【０００１】
本発明はカーオーディオ用ハンズフリーシステムに関し、特にＭＰ３放送機を結合してカーオーディオシステムを受話器ハンズフリーモードに切り替えることによって、このカーオーディオシステムがオーディオ周波数で携帯電話との双方向通信するＭＰ３放送機を結合するカーオーディオハンズフリーシステムおよび双方向音声通信方法に関する。
【背景技術】
【０００２】
最近、交通安全を維持するために、道路交通法が改正され、自動車を運転中に携帯電話の使用が禁止されることとなった。但し、携帯電話機を持つことなく通話できるハンズフリー装置の使用は認められている。
【０００３】
自動車の走行（運転）中に携帯電話を使用する安全性を向上すると共に自動車運転時の携帯電話機の禁止規定に対応するために、カーオーディオ業者は遂に携帯電話用ハンズフリー受話器を内蔵するカーオーディオを開発し、これが普及しつつある。携帯電話機の使用者が自動車を運転中に、自動車に搭載されたカーオーディオを利用してハンズフリー受話器として使用する。これにより、自動車運転中の安全性を向上する上で、従来の簡易式ハンズフリー受話器を長時間耳にかける不便を避けることができる。
【０００４】
従来の携帯電話用ハンズフリー受話器は、主に携帯電話セット、回路本体、電源入力プラグ、マイクロフォン（マイク）、スピーカおよび自動車外用アンテナ等から構成される。従って、部品点数が多く、取り付けが困難で、取り付け後の自動車内の装飾性に悪影響を与え、更に自動車内にこれらのハードウエアおよびそれらの配線が乱雑に配置され安全上の問題も生じ得る。その他、携帯電話の回路本体を使用するに際し、自動車内部の電源に接続する必要がある。そこで、通常はライタ用プラグを占有し又はその他の電源を接続する必要があり、自動車の回路設計を変更しなければならず、高い技術レベルを要すると共に安全性に関する配慮も必要になる。また、ライタ用電源を直接利用する場合には、ライタが使用できなくなるので、喫煙者には大きな不便を与えることとなる。
【０００５】
一方、ヨーロッパ規格のカーオーディオシステムを結合する携帯電話の機能として、携帯電話モジュールがカーオーディオ機器内に設けられている。これにより、カーオーディオ機器の回路モジュールとは相互に回路資源又は入出力設備の連結を利用して共通回路モジュールを形成する。この共通回路モジュールは、カーオーディオのパネル上に設けられた携帯電話の通信接続端子と相互接続でき、且つこのパネル上にも携帯電話と同じパネルが設けられている。使用者が携帯電話のＳＩＭ（Subscriber Identify Module）カードを端子孔に直接挿入してカーオーディオを携帯電話として通話の操作を便利に行なえる。
【０００６】
そして、アジア規格のカーオーディオシステムのハンズフリー受話器の設計は、１本の伝送線を用いて自動車内のカーオーディオシステムを接続する。しかし、携帯電話の機器を操作して連結又は接続することによって、カーオーディオのスピーカを携帯電話として出力し、更にカーオーディオスピーカの高効率且つ高忠実度特性を利用して携帯電話の通話品質を向上して自動車走行中の安全性が高められる。
【発明の開示】
【発明が解決しようとする課題】
【０００７】
これら何れかの規格のカーオーディオと結合する携帯電話のハンズフリー受話器は利便性を有するが、それに利用されるカーオーディオのスピーカを携帯電話の出力とすると、「プライバシー」の問題が存在する。即ち、自動車に他の乗客が乗車している場合には、携帯電話の通話内容は乗車している他の人に聞こえないようにすることは不可能である。また、運転者は、自分が携帯電話で受信することも法令に違反しているため、このようなカーオーディオのスピーカを携帯電話として出力することは改善する必要がある。
【０００８】
本発明は、従来技術の上述の如き課題に鑑みなされたものであり、斯かる課題を克服又は軽減するカーオーディオハンズフリーシステムおよび双方向音声通信方法を提供することを目的とする。即ち、既に特許されている台湾特許出願第９２１２１１１７号の「放送一時停止携帯電話機着信できるＭＰ３放送機」の技術を結合し、更にカーオーディオのスピーカに応用されるものである。ＭＰ３放送機ヘッドセット又は携帯電話機の受信機能をカーオーディオハンズフリーシステムと携帯電話との双方向音声通信インタフェースとする。
【課題を解決するための手段】
【０００９】
本発明は、カーオーディオのハンズフリーシステムおよび方法を提供するため、携帯電話機の着信を無線によりＭＰ３放送機およびカーオーディオ機器を電気的接続することにより、このカーオーディオのハンズフリーシステムが無線ハンズフリー受話器として機能させる。
【００１０】
更に、本発明は、運転者のプライバシーを考慮して、無線ヘッドセットをカーオーディオ機器および携帯電話間の無線通信メディアとして、カーオーディオハンズフリーシステムが無線ハンズフリー受話器の機能を備え、且つこの無線ヘッドセットは、何時でもカーオーディオハンズフリーシステムから離脱でき、そしてこの無線ヘッドセット装置および携帯電話間の無線通信を維持することが可能である。
【００１１】
本発明の１つの実施形態として、カーオーディオハンズフリーシステムは、カーオーディオシステム、ＭＰ３放送機および接続インタフェースを含み、このカーオーディオは、カーオーディオ機器、マイクおよびスピーカを含み、かつカーオーディオ機器は、ハンズフリー受話器モードを備えている。ＭＰ３放送機は、ＭＰ３モジュールおよび無線ヘッドセットモジュールを含み、且つこのＭＰ３放送機が無線ヘッドセットモジュールにより携帯電話との双方向通信を可能にする。接続インタフェースは、ＭＰ３モジュールおよびカーオーディオ間を電気的接続する。これにより、このＭＰ３モジュールおよび携帯電話の双方向通信ができた場合、ＭＰ３モジュールは、このカーオーディオ機器のハンズフリー受話器モードにする。
【００１２】
本発明の別の実施形態として、カーオーディオハンズフリーシステムは、カーオーディオシステム、ＭＰ３放送機および無線ヘッドセット装置を含み、このカーオーディオは、カーオーディオ機器、マイクおよびスピーカを含み、且つカーオーディオ機器は、ハンズフリー受話器モードを備え、無線ヘッドセット装置および携帯電話は無線接続される。第１接続インタフェースは、ＭＰ３モジュールおよび無線ヘッドセット装置間を電気的接続し、そして第２接続インタフェースは、ＭＰ３モジュールおよびカーオーディオ機器間を電気的接続する。これにより、このＭＰ３モジュールが無線ヘッドセット装置および携帯電話を双方向通信にした場合、このＭＰ３モジュールは、このカーオーディオ機器のハンズフリー受話器モードにすることが可能である。
【００１３】
また、本発明は、カーオーディオ機器にＭＰ３放送機との結合を可能にし、無線ハンズフリーの通信方法を提供する。このカーオーディオ機器は、ハンズフリー受話器モードを備え、下記のステップが含まれる。
【００１４】
ＭＰ３モジュールおよびカーオーディオ機器間を電気的接続するための接続を提供する。
このＭＰ３放送機は、無線ヘッドセットモジュールにより携帯電話と双方向通信する。また、このＭＰ３放送機は、携帯電話の着信指示に応答してイネーブル信号を生成することにより、このカーオーディオ機器がハンズフリー受話器モードに入ることができる。
【００１５】
また、本発明を実施したカーオーディオハンズフリーシステムは、カーオーディオ機器がＭＰ３放送機に電気的接続され、このＭＰ３放送機は、携帯電話機からの着信を受ける機能を有する。従って、カーオーディオ機器は、放送操作を行う場合に、ＭＰ３放送機が携帯電話の着信指示に応答してイネーブル信号を生成することにより、このカーオーディオ機器がハンズフリー受話器モードに入ることができ、運転者がカーオーディオのハンズフリーシステムを利用したり、無線ヘッドセット装置を分離したり選択して携帯電話機の着信を受けることが可能である。
【発明の効果】
【００１６】
本発明のカーオーディオハンズフリーシステムおよび双方向音声通信方法によると、次の如き実用上の顕著な効果が得られる。即ち、運転者は、カーオーディオシステムにより高音質で音楽や放送を聴くことが可能であると共に、交通安全性を維持しつつハンズフリー受話器モードで携帯電話で相手と通話することが可能である。また、ハンズフリー受話器モードも、スピーカから放音又はヘッドセットを切替使用して通話のプライバシーを守ることも可能である。更に、必要に応じて通話内容を録音して、後で再生することも可能である。
【実施例１】
【００１７】
以下、本発明によるカーオーディオハンズフリーシステムおよび双方向音声通信方法の好適実施例を、添付図面を参照して詳細に説明する。尚、これらの実施例は、本発明の単なる例示に過ぎず、何ら本発明を限定するものではない。また、本発明の要旨を逸脱することなく、種々の変形変更が可能であること、当業者には容易に理解できよう。
【００１８】
先ず、図１は、本発明によるカーオーディオハンズフリーシステムの第１実施例のブロック図である。この実施例においては、本発明に結合するＭＰ３放送機のカーオーディオハンズフリーシステム１は、カーオーディオシステム１０、ＭＰ３放送機２０および接続インタフェース３０を含んでいる。カーオーディオシステム１０は、カーオーディオ機器１１、マイク１２およびスピーカ１３を含み、カーオーディオ機器１１は、ハンズフリー受話器モードを有する。マイク１２およびスピーカ１３は、それぞれカーオーディオ機器１１に接続される。従って、このハンズフリー受話器モードにおいて、カーオーディオ機器１１は、携帯電話からの音声信号がスピーカ１３にて放音され、更にマイク１２で音声信号又は運転者の音声を受信することになる。
【００１９】
ＭＰ３放送機２０は、ＭＰ３モジュール２１および無線ヘッドセットモジュール２２を含んでいる。ＭＰ３モジュール２１は、ＭＰ３ファイル又は録音ファイルにアクセスするためのメモリユニットが含まれている。ＤＳＰ（Digital Signal Processor）プロセッサは、ＭＰ３ファイルを処理して対応する音声信号又は録音ファイルを生じさせ、メモリユニットに記憶させるためのものである。そして、プッシュボタン入力ユニットは、使用者が要求した指令がＤＳＰプロセッサに伝送される。また、無線ヘッドセットモジュール２２および携帯電話３間に備える本来の無線通信機能、例えばブルートゥース（Bluetooth）無線通信を介してこのＭＰ３モジュール２１は、無線ヘッドセットモジュール２２を制御して携帯電話３との双方向通信を実現する。
【００２０】
この接続インタフェース３０は、カーオーディオシステム１０およびＭＰ３放送機２０間の電気的接続を行なう。この実施例において、接続インタフェース３０は、カーオーディオシステム１０に設けられたパネルの電気接点又は電気コネクタと、ＭＰ３放送機２０に設けられた電気接点又は電気コネクタを含んでいる。カーオーディオシステム１０は、インタフェース回路１４を含んでいる。このインタフェース回路１４は、接続インタフェース３０を介してＭＰ３放送機２０からの信号を受信し、且つＭＰ３放送機２０からの信号をカーオーディオ機器１１に伝送すると同時に、このインタフェース回路１４によりカーオーディオシステム１０からの信号を接続インタフェース３０を介してＭＰ３放送機２０に伝送する。
【００２１】
更に、ＭＰ３放送機２０は、インタフェース回路２３を含んでいる。このインタフェース回路２３は、接続インタフェース３０を介してカーオーディオシステム１０からの信号を受信し、且つこのインタフェース回路２３によりＭＰ３モジュール２１からの信号を接続インタフェース３０を介してカーオーディオシステム１０に伝送する。
【００２２】
ＭＰ３放送機２０のインタフェース回路２３、接続インタフェース３０およびカーオーディオシステム１０のインタフェース回路１４は、ＭＰ３モジュール２１およびカーオーディオ機器１１間のデータ切替経路を形成することにより、無線ヘッドセットモジュール２２および携帯電話３間が無線通信された後、このＭＰ３モジュール２１は、携帯電話の着信指示に応答してイネーブル信号を生成する。このイネーブル信号は、データの切替経路を介してこのカーオーディオ機器１１がハンズフリー受話器モードに入ることができる。このカーオーディオ機器１１のハンズフリー受話器モードにおいて、ＭＰ３モジュール２１は、携帯電話３からの音声信号がデータ切替経路を介してカーオーディオ機器１１に伝送され、スピーカ１３からこの音声信号を放音することになる。
【００２３】
カーオーディオ機器１１は、マイク１２が集音した音響信号をデータ切替経路を介してＭＰ３モジュール２１へ伝送し、ＭＰ３モジュール２１が無線ヘッドセットモジュール２２を利用して携帯電話３に発信する。そして、ＭＰ３放送機２０のプッシュボタンを用いて電話機３の着信指示を確認して携帯電話機３からの電話を受信又は切断する、ＭＰ３モジュール２１および無線ヘッドセットモジュール２２間の制御を行なうことはいうまでもない。
【実施例２】
【００２４】
次に、図２は、本発明によるカーオーディオハンズフリーシステムの第２実施例のブロック図である。尚、上述した第１実施例に対応する構成要素には、説明の便宜上、同様の参照符号を使用することとする。この実施例において、本発明に結合されたＭＰ３放送機２０のカーオーディオハンズフリーシステム２は、カーオーディオシステム１０、ＭＰ３放送機２０および無線ヘッドセット装置６０を含んでいる。無線ヘッドセット装置６０および携帯電話３間は、無線通信機能、例えばブルートゥース無線通信を備えている。カーオーディオシステム１０は、カーオーディオ機器１１、マイク１２およびスピーカ１３を含んでいる。カーオーディオ機器１１は、ハンズフリー受話器モードを有し、マイク１２およびスピーカ１３は、それぞれカーオーディオ機器１１に接続されている。そのため、ハンズフリー受話器モードにおいて、カーオーディオ機器１１は、携帯電話３からの音声信号をスピーカ１３から放音し、マイク１２で音声信号又は運転者の音声を受信する。
【００２５】
ＭＰ３放送機２０は、ＭＰ３モジュール２１およびインタフェース２３を含んでいる。ＭＰ３モジュール２１は、ＭＰ３ファイル又は録音ファイルを記憶するためのメモリユニットおよびＤＳＰプロセッサを含んでいる。ＤＳＰプロセッサは、ＭＰ３ファイルを処理して対応する音声信号又は録音ファイルを生成してメモリユニットに記憶する。そして、使用者は、プッシュボタン入力ユニットにより、ＤＳＰプロセッサに要求された指令を伝送する。本発明では、ＭＰ３放送機２０および無線ヘッドセット装置６０間に第１接続インタフェース７０を備える。この第１接続インタフェース７０は、ＭＰ３放送機２０のパネルに設けられた電気接点又は電気コネクタを含んでいる。この無線ヘッドセット装置６０は、選択的にＭＰ３放送機２０に結合又はＭＰ３放送機２０から分離可能である。ＭＰ３放送機２０および無線ヘッドセット６０間が第１接続インタフェース７０により電気的接続された際に、無線ヘッドセット装置６０および携帯電話３間の無線通信機能を介して、この携帯電話３と双方向通信が可能である。
【００２６】
更に、本発明は、第２接続インタフェース８０を備えている。この第２接続インタフェース８０は、カーオーディオシステム１０およびＭＰ３放送機２０間の電気的接続を行なう。この第２接続インタフェース８０は、カーオーディオシステム１０のパネルに設けられた電気接点又は電気コネクタと、ＭＰ３放送機２０の電気接点又は電気コネクタを含んでいる。そのため、この実施例では、このＭＰ３放送機２０に設けられた異なる電気接点又は電気コネクタを、それぞれ無線ヘッドセット装置６０とカーオーディオシステム１０に接続することになる。
【００２７】
カーオーディオシステム１０は、カーオーディオ機器１１およびインタフェース回路１４を含んでいる。インタフェース回路１４は、第２接続インタフェース８０を介してＭＰ３放送機２０からの信号をカーオーディオ機器１１に伝送すると共にこのインタフェース回路１４もカーオーディオ機器１１からの信号を第２接続インタフェース８０を介してＭＰ３放送機２０に伝送可能である。そして、ＭＰ３放送機２０に含まれるインタフェース回路２３は、第２接続インタフェース８０を介してカーオーディオシステム１０からの信号を受信し且つインタフェース回路２３によりカーオーディオシステム１０からの信号をＭＰ３モジュール２１へ伝送すると共にＭＰ３モジュール２１の信号を第２接続インタフェース８０を介してカーオーディオシステム１０に伝送可能である。
【００２８】
第２実施例のカーオーディオハンズフリーシステム２において、第１接続インタフェース７０、ＭＰ３放送機２０および第２接続インタフェース８０は、無線ヘッドセット装置６０およびカーオーディオシステム１０間のデータ切替経路を形成することにより、無線ヘッドセット６０および携帯電話３間で無線通信された後、ＭＰ３モジュール２１は、携帯電話３の着信指示に応答してイネーブル信号を生成し、このイネーブル信号は、第２接続インタフェース８０を介してカーオーディオ機器１１をハンズフリー受話器モードにすることが可能である。このカーオーディオ機器１１のハンズフリー受話器モードで、ＭＰ３モジュール２１は、無線ヘッドセット装置６０が携帯電話３からの音声信号をカーオーディオ機器１１へ伝送し、スピーカ１３によりこの音声信号を放音させる。カーオーディオ機器１１は、マイク１２が集音した音声信号をＭＰ３モジュール２１を介して無線ヘッドセット装置６０へ伝送することにより、無線ヘッドセット装置６０が携帯電話３に発信可能である。
【００２９】
上述した本発明の第１および第２実施例のカーオーディオシステム１、２により、携帯電話３が着信した場合に、ＭＰ３放送機２０は、カーオーディオシステム１０をイネーブルしてハンズフリー受話器モードに入らせ、ＭＰ３放送機２０の操作により着信を受け取るか否かを確認し、このカーオーディオシステム１０は、携帯電話３と双方向通信される。第２実施例では、プライベート電話の受信時を考慮して、運転者は、何時でもこのカーオーディオシステム１０のハンズフリー受話器モードを中断するようにＭＰ３放送機２０から無線ヘッドセット装置６０を分離し、この無線ヘッドセット装置６０を利用して通話することが可能である。
【００３０】
次に、図３は、本発明によるカーオーディオハンズフリーシステムの双方向音声通信方法を説明するフローチャートである。この双方向音声通信方法は、図１又は図２に示すカーオーディオハンズフリーシステム１、２にて実施され、カーオーディオ機器１１および携帯電話３間で双方向音声通信を可能にし、カーオーディオ機器１１は、ハンズフリー受話器機能を備えている。本発明の双方向音声通信方法は、以下のステップを含んでいる。
【００３１】
ステップ１０１：ＭＰ３放送機２０のＭＰ３モジュール２１およびカーオーディオシステム１０のカーオーディオ機器１１間を電気的接続する
ＭＰ３放送機２０は、接続インタフェース３０、８０を介してカーオーディオシステム１０を接続する。また、ＭＰ３モジュール２１およびカーオーディオ機器１１間が電気的接続される。そして、ＭＰ３モジュール２１は、無線ヘッドセットモジュール２２又は無線ヘッドセット装置６０を制御して携帯電話３との双方向音声通信を可能にする。
【００３２】
ステップ１０２：カーオーディオ機器１１は、録音再生モードに操作される
カーオーディオシステム１０が録音再生モードに操作された場合には、運転者は、カーオーディオ機器１１のパネルを操作して音楽又は放送を聴くことが可能である。
【００３３】
ステップ１０３：ＭＰ３モジュール２１が着信に応答してハンズフリーシステムに入る
ＭＰ３モジュール２１と携帯電話３を無線接続した後、このＭＰ３モジュール２１は、携帯電話３の着信指示に応答し、且つＭＰ３モジュール２１からカーオーディオ機器１１にイネーブル信号を伝送してカーオーディオ機器１１がハンズフリー受信機モードに入る。カーオーディオ機器１１がハンズフリーモードに入った後、このカーオーディオ機器１１は、ＭＰ３モジュール２１からの音声信号を受信して、スピーカ１３から放音され、運転者に携帯電話３からの着信を通知する。
【００３４】
ステップ１０４：ＭＰ３モジュール２１の確認を受信する
運転者は、ハンズフリー受話器モードにより携帯電話３からの着信を受信した後、運転者が着信を受信するか否かを確認するために、ＭＰ３放送機２０を操作可能にする。ＭＰ３モジュール２１は、プッシュボタン入力ユニットにより運転者が要求された指令を受けて着信を受信するか否かを判断する。ＭＰ３モジュール２１は、運転者が要求された指示を判断して、この携帯電話３からの着信を受信しないと判断した場合には、ＭＰ３モジュール２１は、この携帯電話３の音声信号の伝送を中止し且つ無線ヘッドセットモジュール２２又は無線ヘッドセット装置６０を介してこの携帯電話３に知らせ、着信信号を切断し、カーオーディオ機器１１がハンズフリー受話器モードを中断して上述したステップ１０２へ進む。一方、ＭＰ３モジュール２１の判断により運転者から要求された指示が、この携帯電話３の着信を受信する場合には、以下に説明するステップ１０５を実行する。
【００３５】
ステップ１０５：カーオーディオ機器１１におけるハンズフリー受話器モードとして操作される
カーオーディオ機器１１がハンズフリー受話器モードに操作されたとき、このカーオーディオ機器１１は、ＭＰ３モジュール２１により携帯電話３と双方向音声通信が行なわれる。本発明の第１実施例において、ＭＰ３モジュール２１は、プッシュボタン入力ユニットから運転者が要求した指令を受信して通話終了するか否かを判断する。ＭＰ３モジュール２１の確認により通話が終了しない場合には、ステップ１０５を実行し続ける。一方、ＭＰ３モジュール２１は、運転者が要求した指令を確認して通話を切断すると、カーオーディオ機器１１のハンズフリー受話器モードが中断され、上述したステップ１０２へ戻る。
【００３６】
本発明の第２実施例において、ＭＰ３モジュール２１は、プッシュボタン入力ユニットにより運転者から要求された指令を受けて通話を終了するか否か判断すると共に、ステップ１０６を実行して無線ヘッドセット装置６０を分離させるか否か判断する。
【００３７】
ステップ１０６：無線ヘッドセットを分離する
運転者は、カーオーディオシステム１０のハンズフリー受話器モードを介してその相手との通話をキャンセルして自分のプライバシーを守るために、運転者は、何時でもＭＰ３放送機２０からこの無線ヘッドセット装置６０を分離可能できる。ＭＰ３モジュール２１は、ＭＰ３放送機２０から無線ヘッドセット装置６０が分離されないことを確認した場合には、ステップ１０９を実行して通話を終了するか否か確認する。ＭＰ３モジュール２１は、無線ヘッドセット装置６０がＭＰ３放送機２０からの分離が確認された場合には、ステップ１０７を実行する。
【００３８】
ステップ１０７：カーオーディオ機器１１のハンズフリー受話器モードを中断させる
ＭＰ３モジュール２１は、ＭＰ３放送機２０から無線ヘッドセット装置６０を分離すると判断した場合には、カーオーディオ機器１１は、ＭＰ３モジュール２１の確認によりハンズフリー受話器モードを中断させる。
【００３９】
ステップ１０８：無線ヘッドセットを使用する
無線ヘッドセット装置６０からのＭＰ３放送機２０を分離した後、無線ヘッドセット装置６０は、依然として携帯電話３との双方向音声通信が保留されているため、第三者に通話内容が漏れるのを防止し且つプライバシーが守られるようにするため、運転者は、この無線ヘッドセット装置６０を使用して通話を続けることが可能である。
【００４０】
ステップ１０９：通話を終了する
ＭＰ３モジュール２１は、通話が終了していないことを確認したとき、ステップ１０５を実行している。ＭＰ３モジュール２１が運転者の要求指示を確認して通話を切断した場合には、カーオーディオ機器１１は、ハンズフリー受話器モードを中断して上述したステップ１０２へ戻る。
【００４１】
次に、図４は、本発明によるカーオーディオハンズフリーシステムの録音フローチャートである。この方法は、図１および図２に示すカーオーディオハンズフリーシステム１、２において実施される。
【００４２】
ＭＰ３放送機２０は、カーオーディオ機器１１および携帯電話３間の双方向音声通信を行なうと共に録音ファイルを生成し、このカーオーディオ機器１１は、ハンズフリー受話器機能を備えている。本発明の方法は、以下のステップを含んでいる。
【００４３】
ステップ２０１：ＭＰ３モジュールとカーオーディオ機器を電気的接続する
ＭＰ３放送機２０は、接続インタフェース３０、８０を介してカーオーディオシステム１０を接続することにより、ＭＰ３モジュール２１およびカーオーディオ機器１１間を電気的接続する。そして、ＭＰ３モジュール２１は、無線ヘッドセットモジュール２２又は無線ヘッドセット装置６０を制御して、携帯電話３との双方向音声通信を可能にする。
【００４４】
ステップ２０２：カーオーディオ機器がハンズフリー受話器モードを実行する
ＭＰ３モジュール２１および携帯電話３を無線接続した後、このＭＰ３モジュール２１は、携帯電話３からの着信指示に応答し且つイネーブル信号をカーオーディオ機器１１に伝送し、このカーオーディオ機器１１をハンズフリー受話器モードに操作する。
【００４５】
ステップ２０３：ＭＰ３モジュールは録音操作を確認する
運転者がハンズフリー受話器モードにより通話するとき、運転者は、ＭＰ３放送機２０を操作して録音操作を実行する。ＭＰ３モジュール２１は、プッシュボタン入力ユニットにより運転者の要求指令を受信し、録音を行なうか否かを判断する。ＭＰ３モジュール２１が判断した運転者の要求指令が録音を行なう場合には、後述するステップ２０４を実行し、さもなければ上述したステップ２０２へ戻る。
【００４６】
ステップ２０４：ＭＰ３モジュール２１により通話の録音ファイルを生成して記憶する
ＭＰ３モジュール２１は、カーオーディオシステム１０と無線ヘッドセットモジュール２２又は無線ヘッドセット装置６０間に介在される。そこで、ＭＰ３モジュール２１は、運転者がハンズフリー受話器モードにより行なわれた通話を録音可能であり、且つＭＰ３モジュール２１により録音ファイルを生成させてメモリユニットに記憶する。
【００４７】
以上、本発明によるカーオーディオハンズフリーシステムおよび双方向音声通信方法の好適実施例について詳述した。しかし斯かる実施例は、本発明の単なる例示に過ぎず、本発明の要旨又は精神を逸脱することなく種々の変形変更が可能であること、当業者には容易に理解できよう。
【図面の簡単な説明】
【００４８】
【図１】本発明によるカーオーディオハンズフリーシステムの第１実施例の構成を示すブロック図である。
【図２】本発明によるカーオーディオハンズフリーシステムの第２実施例の構成を示すブロック図である。
【図３】本発明のカーオーディオハンズフリーシステムによる双方向音声通信方法を示すフローチャートである。
【図４】本発明によるカーオーディオハンズフリーシステムによる録音のフローチャートである。
【符号の説明】
【００４９】
１、２  カーオーディオハンズフリーシステム
３    携帯電話
１０  カーオーディオシステム
１１  カーオーディオ機器
１２  マイクロフォン
１３  スピーカ
１４、２３  インタフェース回路
２０  ＭＰ３放送機
２１  ＭＰ３モジュール
２２  無線ヘッドセットモジュール
３０  接続インタフェース
６０  無線ヘッドセット装置
７０  第１接続インタフェース
８０  第２接続インタフェース
【図１】
2006067545.tif 000003
【図２】
2006067545.tif 000004
【図３】
2006067545.tif 000005
【図４】
2006067545.tif 000006